(57)【要約】【課題】空気との接触面積を増大し、放熱孔を介して空気の循環をしやすくして冷却効果を高めるドラム洗濯機のアウターロータ型モータ用のロータを提供する。【解決手段】アウターロータ型モータのロータ１０は、ステータの外側に結合され、ドラムのシャフトが結合されるシャフトカプラ５が射出材料により中心部に固定され、内側には複数の放熱孔１が放射状に連なって形成される。ロータは、ロータの底面に固定されるベース部と、ベース部に付随する折曲部とを備える少なくとも１つの冷却フィン１５を含み、冷却フィン１５は、放熱孔１に近接して配置されるように底面に結合される。それにより、空気との接触面積を増大し、放熱孔１を介して空気の循環をしやすくする。従って、洗濯機を長時間動作させても、洗濯機の効率の低下を防止でき、過熱による内部の構成部品の損傷も防止できる。【選択図】図３
2008521542.tif 000002
【特許請求の範囲】
【請求項１】
ドラム洗濯機のアウターロータ型モータに使用するためのロータであって、
前記モータのステータの外側に結合され、前記洗濯機のドラムのシャフトと結合するための、射出材料により、その中心部に固定されるシャフトカプラと、その内側に放射状に連なって形成される複数の放熱孔とを備える前記ロータが、
前記ロータの底面に固定されるベース部と、前記ベース部に付随する折曲部とを備える少なくとも１つの冷却フィンを含み、
前記冷却フィンは、前記放熱孔に近接して配置されるように前記底面に結合されることを特徴とするロータ。
【請求項２】
前記折曲部及び前記ベース部の間に形成される角は、略４５度〜８０度の範囲の角度であることを特徴とする請求項１に記載のロータ。
【請求項３】
前記折曲部の高さは、前記放熱孔の幅より大きいことを特徴とする請求項１に記載のロータ。
【請求項４】
前記折曲部の断面は、円弧状の形状であることを特徴とする請求項１に記載のロータ。
【請求項５】
複数の前記冷却フィンが備えられ、前記冷却フィンは、近接する冷却フィンと軸対称となるように前記底面に結合されることを特徴とする請求項１に記載のロータ。
【請求項６】
前記冷却フィンは、ボルトで締結することにより前記底面に結合されることを特徴とする請求項１に記載のロータ。
【請求項７】
前記冷却フィンは、熔接を用いて前記底面に結合されることを特徴とする請求項１に記載のロータ。
【発明の詳細な説明】
【技術分野】
【０００１】
本発明はドラム洗濯機に関し、より詳しくは、放射状に連なって形成される放熱孔に近接して、円弧状に形成された折曲部を備える冷却フィンを取り付けることにより、空気との接触面積を増大し、放熱孔を介して空気の循環をしやすくすることによって、冷却効果を高めるドラム洗濯機のアウターロータ型モータ用のロータに関する。
【背景技術】
【０００２】
一般に、ドラム洗濯機は、円筒状のドラムを洗濯槽の内部で繰り返し回転させ、その過程で洗濯物がドラムの上部から下部に落下する際に発生する落下エネルギを利用して洗濯を行う。
【０００３】
このようなドラム洗濯機は、パルセータ方式の洗濯機やアジテータ方式の洗濯機と比べると、洗濯物の絡みによる損傷や洗濯水の使用量が少ないという長所を有する。
【０００４】
このようなドラム洗濯機は、図１に示すように、ベース１３０の上部に水平に設置される貯水槽１１０の内部には、洗濯空間を提供するドラム１２０が回転可能に設けられ、貯水槽１１０の上部には、繊維柔軟剤のような洗濯補助剤を含む洗剤などを供給するための洗剤供給容器１４０が設けられる。また、洗濯及び脱水過程中にドラム１２０の回転及び停止や洗濯物の落下によって発生する振動及び衝撃を吸収するために、ハウジング(図示せず)の上部と貯水槽１１０との間に引張コイルバネ(図示せず)が設けられる。
【０００５】
さらに、ハウジングの下部と貯水槽１１０の下部との間には、オイルダンパ１６０が設けられる。そして、引張コイルバネの弾性力とオイルダンパ１６０のダンピング作用とによって、振動及び衝撃などを減少させる。
【０００６】
前記のような構造を有するドラム洗濯機２００は、通常、乾燥機能を備えており、洗濯及び脱水過程の終了後に洗濯物の乾燥が行われる。そのため、ドラム洗濯機２００は、上部と背面との間に、ヒータを有するチャンバ１７０と、送風ファン１７５と、凝縮ダクト１８０とを有する乾燥装置がさらに設けられる。前記乾燥装置は、ドラム１２０の内部の空気を繰り返し循環させ、熱風中に含まれている水分を凝縮させることにより洗濯物を乾燥させる。
【０００７】
一方、ドラム洗濯機２００の貯水槽１１０の背面には、ドラム１２０を駆動させるためのモータが設けられる。このような駆動モータは、通常は、ステータで発生された回転磁界とロータで生成された誘導磁界との相互作用によって回転力を生成する誘導電動モータで構成される。前記誘導電動モータは、単相誘導モータだけではなく、３相誘導モータ、３相巻線型誘導モータなどのように多様に設計できる。そして、定速性と長寿命を維持できる。
【０００８】
ドラム洗濯機２００の駆動モータとして用いられる誘導電動モータの基本構成としては、円形のコアに巻回されたコイルによって外部から電源の印加を受けて誘導磁気を生成するステータと、前記ステータで生成された誘導磁気によって内側のシャフトカプラを介して結合されたドラム１２０の回転シャフトを回転させるロータとから構成される。
【０００９】
前記のような誘導電動モータでは、電源に接続されている１次巻線の電子誘導により２次巻線に電流が誘導され、２次巻線に誘導された電流と回転磁界との相互作用により回転力が得られる。このような誘導電動モータは、ステータとロータの相対的な位置によって、インナーロータ型とアウターロータ型とに分けられる。
【００１０】
インナーロータ型モータは、ロータがステータの内部で回転するため、ロータの直径が制限される。従って、同一の体積で発生するトルクが少ないという短所を有する。また、内部空間の活用性が低下するという短所を有する。
【００１１】
近年は、ステータの外側に設けられたロータを有するアウターロータ型誘導モータが広く用いられ、そのため、同一の体積でトルクを増大させ、アウターロータ型モータを用いることで、他の用途としてステータの内部空間を利用できる。
【００１２】
前記のようなアウターロータ型誘導モータのロータは、図２に示すように、プレスによるドローイング方法によって円筒状に加工される。
【００１３】
ロータ１０の底面には、複数の放熱孔１が放射状に連なって形成される。放熱孔１は、放熱孔を介して空気を循環し、モータの動作中に生成される熱を外部に放出する。
【００１４】
しかしながら、空気とロータ１０との接触面積が不十分であるため、モータの動作中に生成された熱を放熱孔１だけで効率よく放出することができなくなる。従って、モータの効率が急激に低下してしまう。
【００１５】
このような問題を解決するため、近年、放熱孔は、放熱孔に対応するロータの底面の一部を、放熱孔の１つの辺を除いてその境界に沿って切断し、冷却フィン１５を形成するべく切断部を非切断辺から外側に折り曲げることによって形成される。
【００１６】
冷却フィン１５は、空気とロータ１０との接触面積を増大させることで、冷却効果を改善できる。しかしながら、指の挿入のような安全に関わる事故を防止するため、放熱孔１の幅は一定のサイズより小さくしなければならない。
【００１７】
特に、製造方法の特性上、冷却フィン１５の形状は長方形に制限される。従って、空気との接触による熱交換を最大にできない、ロータ１０の順方向及び逆方向の回転中に、外部の空気を放熱孔１を介してロータ１０の内部に流入させることができないなど、いくつか不利な点があるため、冷却効果が低下する。
【００１８】
従って、上述したような従来のロータ１０を使用するドラム洗濯機を長時間動作させる場合、その効率が急激に低下してしまう。その結果、洗濯が適切に行われないなどの問題が発生する。
【発明の開示】
【課題を解決するための手段】
【００１９】
本発明は、前記事情に鑑みてなされたものであって、その目的は、放射状に連なって形成されている放熱孔に近接して、円弧状の形状をした折曲部を有する冷却フィンを取り付けることによって、空気との接触面積を増大し、放熱孔を介して空気の循環をしやすくして、冷却効果を高められるドラム洗濯機のアウターロータ型モータ用のロータを提供することにある。
【発明を実施するための最良の形態】
【００２０】
以下、図面を参照して、本発明の好適な実施例について詳細に説明する。図１〜図４において、同一の構成要素は同一の符号で表される。
【００２１】
図３は、本発明の一実施例を示す斜視図であり、図４は、図３に示した本発明の側面図であり、断面を示すために切り取った部分を含む。本発明に基づくドラム洗濯機のアウターロータ型モータ用のロータ１０は、ステータの外側に結合されてドラム洗濯機のアウターロータ型モータを構成し、アウターロータ型モータの作動によって回転することで、その中心部に結合されているドラムのシャフトを駆動させる。
【００２２】
このような本発明は、従来構造のロータのロータ製造工程のように、プレスによるドローイング方法によって、ステータとの結合面が開かれるよう円筒状に加工される。その内周面には、段差を有するヨーク部１０Ａが形成され、ヨーク部１０Ａに沿って永久磁石３が所定の間隔で連なって配置される。
【００２３】
また、中心部には、ドラムから突出したシャフトが挿入されるようにセレーション溝５Ａを形成したシャフトカプラ５が、インサートモールディングにより取り付けられる射出材料６によって固定される。
【００２４】
さらに、本発明に基づくドラム洗濯機のアウターロータ型モータ用のロータ１０は、内部の空気を外部に排出し、外部の空気を内部に流入させることによって空気を循環するための、複数の放熱孔１が放射状に連なって形成され、放熱孔１に近接して複数の冷却フィンが形成される。
【００２５】
冷却フィン１５は、空気とロータとの接触面積を増大することで、熱の放出をしやすくするだけではなく、放熱孔１を介して外部の空気を強制的に内部に流入させる。冷却フィン１５は鉄板のように熱伝導率に優れた金属材からなり、熔接加工又はボルトの締結によりロータの底面１０に固定的に結合される。
【００２６】
冷却フィン１５は、その下部に形成される、接合面を提供するベース部１１と、ベース部１１の曲線状の辺の一方に形成される、インペラとしての機能を果たす折曲部１２とを備える。
【００２７】
さらに、折曲部１２は、ベース部１１との間に略４４度〜８０度の角度を形成するように折り曲げられる。従って、ロータ１０が回転すると、冷却フィン１５は、折曲部１２の作用によって放熱孔１を介して外部の空気を内部に迅速に流入させる。
【００２８】
また、折曲部１２は、垂直方向の上下高さ「Ｈ」が放熱孔１の幅「Ｄ」より大きくなるように構成される。さらに、ベース部１１と平行な水平面に沿った折曲部１２の断面は、円弧状の形状を有し、その形状は、冷却フィン１５が外部の空気を放熱孔１を介して内部に円滑に流入させやすくする。
【００２９】
一方、冷却フィン１５は、図５に示すように、近接する冷却フィンと軸対称になるように、ロータ１０の底面に固定的に結合される。従って、本発明のロータ１０を使用するアウターロータ型モータの回転方向、即ち、順方向及び逆方向に応じて、冷却フィン１５は選択的に機能することができ、外部の空気の内部への流入が、アウターロータ型モータの回転方向に関係なく、効率的に実行されて良い。
【００３０】
上述したような構成を有するロータの動作について、図６を参照して説明する。
【００３１】
本発明に基づくドラム洗濯機のアウターロータ型モータ用のロータ１０は、ドラム洗濯機の後部に取り付けられているステータ２０の外側に結合されて、ドラム洗濯機のアウターロータ型モータ５０を構成する。そして、ロータ１０はアウターロータ型モータ５０の作動によって駆動され、シャフトカプラ５を介して結合されているドラムのシャフトを順方向及び逆方向に回転させる。それによって、落下エネルギによりドラム内の洗濯物の洗濯が行われる。
【００３２】
本発明によれば、ロータ１０がドラム洗濯機の作動によって順方向及び逆方向に回転するとき、放熱孔１を介して空気を循環することで熱が放出されて良い。なお、放熱孔１に近接して取り付けられる冷却フィン１５により、空気との接触面積が増大する。従って、ドラム洗濯機を長時間連続して動作させる場合でも、冷却効果を向上させることができ、ドラム洗濯機のアウターロータ型モータ５０の過熱を防止する。
【００３３】
さらに、冷却フィン１５は、インペラとして機能する折曲部１２を備える。そのため、アウターロータ型モータ５０の順方向及び逆方向の回転中に、外部の空気を放熱孔１を介して内部に強制的に流入させることができ、連続して長時間動作させてもアウターロータ型モータの過熱を防止できる。従って、アウターロータ型モータの効率の低下を防止でき、さらに、過熱による内部の構成部品の損傷も防止できる。
【００３４】
上述したように、冷却フィン１５を備えるドラム洗濯機のアウターロータ型モータ用のロータ１０は、各冷却フィン１５が、両面が円弧状の形状をした折曲部１２を備え、各々、放射状に連なって形成されている各放熱孔１に近接して取り付けられる。そのため、空気との接触面積を増大でき、放熱孔１を介して空気の循環をしやすくする。従って、アウターロータ型モータの冷却効果を向上させる。
【００３５】
さらに、長時間連続して動作させるときでも、アウターロータ型モータ５０の過熱を防止できる。従って、アウターロータ型モータの効率の低下を防止でき、さらに過熱による内部の構成部品の損傷を防止する。
【００３６】
以上、本発明の実施例について具体的に説明したが、本発明は、上述の実施例に限定されるものではなく、特許請求の範囲に記載の本発明の技術的思想に基づく各種の変形が当業者であれば可能である。
【産業上の利用可能性】
【００３７】
本発明によれば、ステータの外側に結合され、ドラムのシャフトが結合されるように、その中心部に射出材料により固定されるシャフトカプラと、内側に放射状に連なって形成される複数の放熱孔とを備えるドラム洗濯機のアウターロータ型モータ用のロータにおいて、ロータは、ロータの底面に固定されるベース部と、ベース部に付随する折曲部とを備える少なくとも1つの冷却フィンを含み、冷却フィンは、放熱孔に近接して配置されるようにロータの底面に結合されることを特徴とするドラム洗濯機のアウターロータ型モータ用のロータを提供する。
【図面の簡単な説明】
【００３８】
本発明の前記並びにその他の目的と新たな特徴については、本発明の記述及び添付図面から明らかになる。
【図１】従来のドラム洗濯機の一例を示す主要部斜視図である。
【図２】従来のドラム洗濯機のアウターロータ型モータを構成するロータを示す斜視図である。
【図３】本発明の一実施例によるロータを示す斜視図である。
【図４】図３に示した本発明のロータの一部を断面を示すように切り取った部分を含む本発明のロータの側面図である。
【図５】本発明に基づくロータの平面図である。
【図６】本発明に基づくロータの動作を示す図である。
【図１】
2008521542.tif 000003
【図２】
2008521542.tif 000004
【図３】
2008521542.tif 000005
【図４】
2008521542.tif 000006
【図５】
2008521542.tif 000007
【図６】
2008521542.tif 000008
【国際調査報告】
2008521542.tif 000009
2008521542.tif 000010
2008521542.tif 000011